Podtech/llm-jp-corpus-v4-ja_patent huggingface dataset:
【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】  磁性ラミネーションのコアと、コアの外側表面に配置された複数の円筒のセグメントによって形成されたサブアセンブリと、
非磁性材料からなり、前記円筒のセグメントを囲繞する、前記サブアセンブリの外形より小さくない内径を有する実質的に円筒状の収容手段と、
コアの両端において前記収容手段の端部に接合される、非磁性材料からなるリング形状の少なくとも一対の平面状の構成部材と、
コアの長さより短くない長さを有し、ロータの回転軸と平行になるようにコアに一体的に形成された手段により支持され、且つ外周上において前記円筒のセグメント同士の間に間隔をもたせるように前記円筒セグメントの隣り合う縦方向の縁部に介挿されるようになっている第１の弾性手段と
を備えた電子的に整流を行うモータのロータであって、さらに、
前記コアに一体的に設けられた手段により支持され、前記セグメントの外側表面が収容手段の内側表面と接触した状態を保つようにされており、さまざまな部品の縦方向および径方向の遊びを補償するためにロータ内に唯一設けられた手段である第２の弾性手段を備える
ことを特徴とする電子的に整流を行うモータのロータ。
【請求項２】  前記第２の弾性手段の支持手段は、ロータの回転軸に対して平行に延在する溝であり、前記第１の弾性手段の支持手段と同数あるいはその倍数にあたる数だけ設けられていることを特徴とする請求項１に記載のロータ。
【請求項３】  前記第２の弾性手段は、単純な波形のバネであることを特徴とする請求項１又は２に記載のロータ。
【請求項４】  前記第２の弾性手段は、金属ワイヤ製の円筒状のかごを備え、前記支持手段と同数設けられた平行な第１の部分と、円弧形状に形成され、第１の部分の端部間で同じ数からなる二つのグループに更に分けられる第２の部分と、第１の部分の各々の端部とこれと隣り合う第２の部分との間に設けられた径方向の接合部分とからなることを特徴とする請求項１から３までのいずれかに記載のロータ。
【請求項５】  前記径方向の接合部分の径方向の延出は、ロータの回転軸と直交する平面上で測定された円筒の前記セグメントの厚さよりも小さいことを特徴とする請求項４に記載のロータ。
【請求項６】  前記第１の弾性手段を支持する手段は、コアの外側表面に互いに一定間隔をおいて設けられ、「Ω」形状の断面を有する周囲に配置されたスロットにより実質的に構成され、また、前記スロットは、同様に「Ω」形状であってその端部が「Ｖ」字形状に曲げられて円筒のセグメントの隣り合う縦方向の縁部に介挿されている第１の弾性手段を収容するようにされていることを特徴とする請求項１から５までのいずれかに記載のロータ。
【請求項７】  前記収容手段の端部が前記平面状の構成部材に対し、簡単な機械的変形のみにより接合されることを特徴とする請求項１から６までのいずれかに記載のロータ。
【請求項８】  磁性ラミネーションを複数積層してコアを形成する段階と、
前記第２の弾性手段を、コアに一体的に設けられた支持手段にそれぞれ関連づける段階と、
コアと、前記第２の弾性手段と、コアの外側表面に沿って配置された円筒のセグメントにより形成されたロータのサブアセンブリを形成する段階と、
前記ロータのアセンブリの周囲に、サブアセンブリに対する径方向の遊びを持たせつつ、回転軸に沿って円筒状の収容手段を挿入する段階と、
前記第１の弾性手段をコアに一体的に設けられた支持手段にそれぞれ挿入して、前記第１の弾性手段を円筒のセグメントの隣り合う縦方向の縁部に介挿させることにより、外周上において円筒のセグメント同士の間に間隔をもたせる段階と、
平面状の構成部材を挿入し、コアの端部と接触させる段階と、
収容手段の端部および／または平面状の構成部材の周囲を機械的に変形させて互いに接合して、円筒状の実質的に密閉された外殻を形成する段階と、
ロータを磁化し、円筒のセグメントの隣り合う縦方向の縁部が互いに反対の極性となるようにする段階と
を実質的に備える、請求項１から７までのいずれかに記載のロータの製造方法。
【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】  近位側の湾曲部と、近位側の湾曲部と鼓膜との間に在る遠位側の湾曲部とを有する外耳道の中で、鼓膜に近位した位置に挿入可能な補聴器であって、  
鼓膜に向けて延出可能な遠位端部分を持ち、音響エネルギを電気信号に変換するマイクロフォン（４２６）、上記マイクロフォンによって作り出された電気信号を処理する信号処理回路（４２４）および処理された電気信号を音響エネルギに変換するレシーバを中に持つほぼ剛体の殻体（１）と、
上記殻体の上記遠位端部分に隣接する比較的フレキシブルな先端メンバ（４）であって、中空体部分（１０４）を有し、この中空体部分が、その近位端部分と遠位端部分との間に延びて上記殻体と鼓膜との間で上記先端メンバを通して音響信号を伝達させる通路を形成しており、この中空体部分は、外耳道に挿入された時の上記細長い通路の軸心が、外耳道の軸心にほぼ合致するように十分柔軟である先端メンバと、
を有する補聴器。
【請求項２】  請求項１において、上記レシーバはモータとしての可動アーマチュアトランスジューサと、膜体（３１０）とを包含し、上記殻体は上記可動アーマチュアトランスジューサおよび上記膜体を内蔵する形状を持つ内面を有することにより、上記可動アーマチュアトランスジューサおよび上記膜体を収納するための別個のレシーバハウジングの必要性を解消した補聴器。
【請求項３】  請求項１において、上記先端メンバは、さらに、上記中空体部分の上記遠位端部分に隣接して位置し、耳垢が使用中に外耳道から上記細長い通路に入ることを防止するために上記細長い通路を塞ぐ表面部（７３）を有する補聴器。
【請求項４】  請求項１において、上記先端メンバの少なくとも一部分が、ショアーＡ硬度計で約５の硬度を持ち、かつ、約３４４７．５ＫＰａ（５００ｐｓｉ）以下の弾性係数を持つ弾性材料を用いて形成されている補聴器。
【請求項５】  請求項３において、上記表面部が音響フィルタを形成する補聴器。
【請求項６】  請求項１において、上記先端メンバは、さらに、上記中空体部分の長さ方向に沿って配置されたサポート（１０６）を有し、上記サポートが上記細長い通路に隣接する位置に、上記挿入時の上記細長い通路の著しい折れ曲がりに抗するように延びている補聴器。
【請求項７】  請求項６において、上記サポートが上記細長い通路の壁に隣接するように配置されたスプリングおよびリングから成る一群から選ばれている補聴器。
【請求項８】  近位側の湾曲部と、近位側の湾曲部と鼓膜との間に在る遠位側の湾曲部とを有する外耳道の中で、鼓膜に近位した位置に補聴器（３００）を挿入する方法であって、
（ａ）鼓膜に向かって挿入できる遠位側を有するほぼ剛体の殻体（１）を準備し、上記殻体はマイクロフォンによって音響エネルギを電気信号に変換するマイクロフォン（４２６）と処理された電気信号を音響エネルギに変換するレシーバとを内蔵し、
（ｂ）上記殻体の上記遠位端部分に比較的フレキシブルな先端メンバ（４）を隣接して接続し、上記先端メンバは中空体部分（１０４）を有し、この中空体部分が、その近位端部分と遠位端部分との間に延びて上記殻体と鼓膜との間で上記先端メンバを通して音響信号を伝達させる通路を形成しており、この中空体部分は、外耳道に挿入された時の上記細長い通路の軸心が、外耳道の軸心にほぼ合致するように曲がり易くなっている、
ステップを備えた補聴器の挿入方法。
【請求項９】  請求項８において、さらに、上記先端メンバの上記中空体部分の長さ方向に沿って配置されたサポート（１０６）準備するステップを有し、上記サポートが上記細長い通路に隣接する位置に、上記挿入時の上記細長い通路の著しい折れ曲がりに抗するように伸びている補聴器の挿入方法。
【手続補正書】
【提出日】平成18年2月1日(2006.2.1)
【手続補正１】
【補正対象書類名】明細書
【補正対象項目名】特許請求の範囲
【補正方法】変更
【補正の内容】
【特許請求の範囲】
【請求項１】
上側表面および下側表面を有するとともに前記上側表面の一部上に封じ込め境界を有するガラス、プラスチック若しくはセラミックのプレートを備え、
前記封じ込め境界はコーティングを備え、該コーティングはポリシロキサン、シリコーン若しくはシリコン流体の組成物を含み、前記封じ込め境界は生物学的試料を保持するために封じ込め領域の少なくとも一部を包囲し、前記封じ込め境界は、透明であり、かつ、０．００００２５４センチメートル未満の厚みを有することを特徴とする分析用プレート。
【請求項２】
前記封じ込め境界が着色されていることを特徴とする請求項１に記載の分析用プレート。
【請求項３】
前記封じ込め境界が目に見えないことを特徴とする請求項１に記載の分析用プレート。
【請求項４】
前記封じ込め境界は、前記プレートの一つの縁から他の縁まで延びる帯を含むことを特徴とする請求項１乃至３のいずれか一項に記載の分析用プレート。
【請求項５】
分析用プレートの使用方法において、
請求項１乃至４のいずれか一項に記載のガラス、プラスチック若しくはセラミックの分析用プレートを提供する段階と、
前記ガラス、プラスチック若しくはセラミックの分析用プレートの前記封じ込め領域に生物学的試料を付加する段階と、
を備えたことを特徴とする分析用プレートの使用方法。
【請求項６】
分析用プレートにコーティングを塗布する方法において、
ペン若しくはペン状の装置、又はリザーバおよび塗布用具端部を有する装置を備えた塗布用具であって、ポリシロキサン、シリコーン若しくはシリコン流体またはこれらの組み合わせが収容されている塗布用具を提供する段階と、
前記ポリシロキサン、シリコーン若しくはシリコン流体又はこれらの組み合わせをガラス、プラスチック若しくはセラミックの分析用プレートに塗布する段階と、
を備え、
前記ポリシロキサン、シリコーン若しくはシリコン流体又はこれらの組み合わせにより０．００００２５４センチメートル未満の厚みを有する透明なコーティングを前記分析用プレート上に形成され、前記透明なコーティングは生物学的試料を前記分析用プレートの表面に保持するためのものであることを特徴とする方法。
【請求項７】
前記塗布用具がペン若しくはペン状の装置であることを特徴とする請求項６に記載の方法。
【請求項８】
前記透明なコーティングが無色であることを特徴とする請求項６又は７に記載の方法。
【請求項９】
前記透明なコーティングが着色されていることを特徴とする請求項６又は７に記載の方法。
【請求項１０】
前記透明なコーティングが目に見えないことを特徴とする請求項６乃至８のいずれか一項に記載の方法。
【請求項１１】
リザーバおよび塗布用具端部を備えた塗布用具であって、前記リザーバがある量の組成物を収容し、前記組成物はポリシロキサン、シリコーン若しくはシリコン流体またはこれらの組み合わせを含み、前記塗布用具端部が前記ガラス、プラスチック若しくはセラミックの分析用プレートの表面に押し付けられたときに、前記リザーバに収容された前記組成物が前記塗布用具端部を介して前記分析用プレートの表面に配置されて前記分析用プレートの表面に透明なコーティングを提供し、前記組成物が乾燥後に０．００００２５４センチメートル未満の厚みを有する前記透明なコーティングを提供することを特徴とする塗布用具。
【請求項１２】
前記塗布用具がペン若しくはペン状の装置であることを特徴とする請求項１１に記載の塗布用具。
【請求項１３】
前記組成物が着色されていることを特徴とする請求項１１又は１２に記載の塗布用具。
【請求項１４】
前記組成物が無色であることを特徴とする請求項１１又は１２に記載の塗布用具。
【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】  ゲームデータを処理する中央ゲームコンピュータ手段と、
放送イベントに関連する放送映像音声データを受信し、且つ当該中央ゲームコンピュータ手段から当該放送イベントに関連するゲームデータを受信する為の受信機／復号器とを含み、
更に当該受信機／復号器は、
ユーザーに対して当該放送イベントへのアクセスを提供する為に、ユーザーの視聴カードと相互作用する為の視聴カード読取装置と、
ユーザーの銀行カードと相互作用して、当該カードに記憶されているデータを読み出す為の銀行カード読取装置と、
当該放送イベントに関連するゲームを許可する為に、当該ユーザーの銀行カードから読み出されたデータに応答して、預金を当該ユーザーの銀行口座から当該中央ゲームコンピュータ手段に設けられているゲーム口座に移送する為に当該ユーザーの銀行口座を保持している銀行のサーバに接続されている通信サーバに、当該ユーザーの銀行カードから読み出されたデータを伝送する為のモデム装置と
を含む事を特徴とする双方向ゲームおよび映像音声データ伝送システム。
【請求項２】  放送映像音声イベントに関連する双方向ゲームを可能にする方法であって、当該方法は、
放送イベントに関連する放送映像音声データを受信すると共に、中央ゲームコンピュータ手段から当該放送イベントに関連するゲームデータを受信する工程と、
ユーザーに対して当該放送イベントへのアクセスを提供する為に、ユーザーの視聴カードと相互作用を行わせる工程と、
ユーザーの銀行カードと相互作用を行わせて、当該カードに記憶されているデータを読み出す工程と、
当該放送イベントに関連するゲームを許可する為に、当該ユーザーの銀行カードから読み出されたデータに応答して、預金を当該ユーザーの銀行口座から当該中央ゲームコンピュータ手段に設けられているゲーム口座に移送する為に当該ユーザーの銀行口座を保持している銀行のサーバに接続されている通信サーバに、当該ユーザーの銀行カードから読み出されたデータを伝送する工程と
を含む事を特徴とする双方向ゲームを可能にする方法。
【請求項３】  放送イベントに関連する放送映像音声データを受信し、且つ当該中央ゲームコンピュータ手段から当該放送イベントに関連するゲームデータを受信する為の受信機／復号器であって、当該受信機／復号器は、
ユーザーに対して当該放送イベントへのアクセスを提供する為に、ユーザーの視聴カードと相互作用する為の視聴カード読取装置と、
ユーザーの銀行カードと相互作用して、当該カードに記憶されているデータを読み出す為の銀行カード読取装置と、
当該放送イベントに関連するゲームを許可する為に、当該ユーザーの銀行カードから読み出されたデータに応答して、預金を当該ユーザーの銀行口座から当該中央ゲームコンピュータ手段に設けられているゲーム口座に移送する為に当該ユーザーの銀行口座を保持している銀行のサーバに接続されている通信サーバに、当該ユーザーの銀行カードから読み出されたデータを伝送する為のモデム装置と
を含む事を特徴とする受信機／復号器。
【手続補正書】
【提出日】平成17年6月8日(2005.6.8)
【手続補正１】
【補正対象書類名】明細書
【補正対象項目名】特許請求の範囲
【補正方法】変更
【補正の内容】
【特許請求の範囲】
【請求項１】  複数の光再方向付け構造を有する第一面と、
前記第一面を透過した光を受けるように配置され、該第一面に向けて光を再帰反射する複数の再帰反射域を有する第二面と、
前記第二面に設けられ、各々が前記複数の再帰反射域の間に位置する複数の分離域と、を具備する再帰反射物品において、
前記複数の光再方向付け構造は、焦点合わせ機能を実質的に発揮することなく、前記第一面の第一領域に所与の角度で入射する光のかなりの部分を、該第一領域よりも小さい前記第二面の第二領域へと再方向付けすること、
を特徴とする再帰反射物品。
【請求項２】  前記複数の再帰反射域と前記複数の分離域とが、前記第二面上で交互の縦列に配置され、それら縦列が、第一軸線に整合配置されて、該第一軸線をほぼ横切る方向へ幅を有する、請求項１に記載の再帰反射物品。
【請求項３】  前記第二面上の前記複数の再帰反射域と前記複数の分離域とが、反復パターンで設けられる、請求項１または２に記載の再帰反射物品。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】  再帰反射物品において、
複数の第１領域および複数の第２領域を有する前面であって、該複数の第１領域が該複数の第２領域とは異なる量の入射光を透過する前面と、
複数の再帰反射領域および複数の分離領域を有して、前記前面に対向する後面であって、該複数の再帰反射領域が該複数の分離領域によって互いに分離される後面とを具備し、
前記前面上の前記第１領域および前記第２領域が、前記後面上の前記再帰反射領域および前記分離領域に対応して配置され、それにより、第１の角度にて該前面の該第１領域に入射する光のかなりの部分が、該前面の該第１領域を透過して、該前面を通して該光を再帰反射する該後面の該再帰反射領域に伝送されるとともに、第２の角度にて該前面の該第１領域に入射する光のかなりの部分が、該前面の該第１領域を透過して該分離領域に伝送されるようになっている、再帰反射物品。
【請求項２】  前記第１の角度にて前記前面に入射する光に対し、前記複数の第１領域が実質的に透過性であり、前記複数の第２領域の各々が、実質的吸収性、一部吸収性、拡散透過性、一部透過性、拡散反射性、鏡面反射性および再帰反射性からなる群から選択される１つ以上の光学的特性を呈する、請求項１に記載の再帰反射物品。
【請求項３】  前記複数の分離領域の各々が再帰反射性であり、該分離領域から再帰反射される光の少なくとも１つの光学的特性が、前記物品の前記後面の前記再帰反射領域から再帰反射される光のものとは異なる、請求項１または２に記載の物品。
【手続補正書】
【提出日】平成18年1月23日(2006.1.23)
【手続補正１】
【補正対象書類名】明細書
【補正対象項目名】請求項６
【補正方法】変更
【補正の内容】
【請求項６】ポリオールと環状ジカルボン酸無水物との反応前に、ポリオールがジ−又はより高い官能性のイソシアネート化合物と反応する請求項１〜４のいずれか１項に記載の方法。
【手続補正２】
【補正対象書類名】明細書
【補正対象項目名】請求項１１
【補正方法】変更
【補正の内容】
【請求項１１】エチレン性不飽和モノマーの量が、ベースポリオール、モノマー及びマクロマーの総重量を基準にして２０〜５５重量％である請求項９又は１０に記載の方法。
【手続補正書】
【提出日】平成18年1月27日(2006.1.27)
【手続補正１】
【補正対象書類名】明細書
【補正対象項目名】００２６
【補正方法】変更
【補正の内容】
【００２６】
従って、トーピッチＴP及びスプロケットピッチＳPをチェーンピッチＣPの約半分の値まで縮小することにより、チェーン３８の高い強度及び強い耐荷重特性を維持しつつ、トー５４、５６と歯溝５９、６０との間の衝撃の振動数は高められる。即ち、引張リンク４８は、従来技術であるリンク１０と実質的に同一のチェーンピッチＣPを有する。
【手続補正２】
【補正対象書類名】明細書
【補正対象項目名】００４９
【補正方法】変更
【補正の内容】
【００４９】
くさび部１９８及び２０８は、隣接するダブルトーリンク１６６がスラックストランド１６０又はトートストランド１６２で偶発的に互いに接触するのを防ぐ手段を提供する。特に、図２２が最もよく示すように、ガイドリンク１７０ｂの隆起くさび部２０８ｂは、隣接するダブルトーリンク１６６ｃ及び１６６ｄの間を延伸する。リンク１６６ｃ及び１６６ｄの互いに対向する肩部１８８は、くさび部２０８ｂと当接し、これによりストランド１６０及び１６２に位置する間に隣接するダブルトーリンクがピン１７２を軸として関節運動することを防ぐ。同様に、引張リンク１６８ａのくさび部１９８ａは、隣接するダブルトーリンク１６６ｂ及び１６６ｃの間を延伸する。リンク１６６ｂ及び１６６ｃの互いに対向する肩部１８８は、隆起くさび部１９８ａと当接し、これによりストランド１６０及び１６２に位置する間にダブルトーリンクがピン１７２を軸として関節運動することを防ぐ。
【手続補正３】
【補正対象書類名】図面
【補正対象項目名】図３
【補正方法】変更
【補正の内容】
【図３】
2002502944.tif 000001
【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】  （ａ）印刷された表示を受容するように作られた第１面及び接着剤を有する第２面を各々が有する、手で互いに分離可能であるように作られた第１及び第２の部分、
（ｂ）過酸化水素滅菌処置を実施する前の第１の指示状態及び過酸化水素滅菌処置を実施した後の第２の指示状態を有する指示組成物を含有する、前記第１及び第２の部分のそれぞれの第１面、及び
（ｃ）前記接着剤に付着させられた除去可能なライナー、を含んでなる、過酸化水素滅菌処置にかけられる対象物を追跡するための追跡システムに使用するためのラベル。
【請求項２】  穿孔が前記第１及び第２の部分の間に配置されている請求項１に記載のラベル。
【請求項３】  前記第１の部分に結合された第１の除去可能なライナー及び前記第２の部分に結合された第２の除去可能なライナーを備える請求項１に記載のラベル。
【請求項４】  前記第１の指示状態が第１の色であり、前記第２の指示状態が該第１の色と異なっている第２の色である請求項１に記載のラベル。
【請求項５】  （ａ）接着剤を有する第１及び第２の部分を含むラベルであって、該第１及び第２の部分が互いに分離可能であるように作られ、該第１及び第２の部分の両方が、印刷された情報を受容するのに適していると共に、過酸化水素滅菌処置が実施されるときに指示状態が変化する組成物を有するラベルを提供する工程と、
（ｂ）前記ラベルを滅菌対象物のパッケージングに付着させる工程と、
（ｃ）前記パッケージング及び前記滅菌対象物を過酸化水素滅菌処置にかける工程と、
（ｄ）次に、前記ラベルの前記第２の部分を前記第１の部分から取り除き、前記第１の部分を前記滅菌対象物の前記パッケージングに付着させておき、
次に前記第２の部分を患者のファイルに付着させる工程と、を含む過酸化水素滅菌処置による滅菌対象物の追跡方法。
【請求項６】  前記第１の部分を前記滅菌対象物の前記パッケージングに付着させる工程が、前記第１の部分の前記接着剤の実質的に全てによって該第１の部分を該滅菌対象物の該パッケージングに付着させる工程を含む、請求項５に記載の方法。
【手続補正書】
【提出日】平成18年2月2日(2006.2.2)
【手続補正１】
【補正対象書類名】明細書
【補正対象項目名】特許請求の範囲
【補正方法】変更
【補正の内容】
【特許請求の範囲】
【請求項１】  相対疎水性領域の内側に配置された相対親水性ドメインである複数の仮想ウェルを含む上面をもつボトムと、
前記ボトムを覆うように構成されたカバー又はトップ
を含むマイクロタイター様プレートであって、前記カバー又はトップが複数の仮想ウェルを含む下面をもち、前記ボトムと前記トップの前記複数の仮想ウェルが、前記ボトムと前記トップを直近させると、前記ボトムと前記トップの間にカラム様液体ウェルが形成されるか、液体が移送されるか、又は成分が捕獲されるように配置されているマイクロタイター様プレート。
【請求項２】  前記ボトムが側壁又はスペーサーを含み、前記トップが前記側壁又はスペーサーに支承されている請求項１に記載のマイクロタイター様プレート。
【請求項３】  前記トップが側壁をもち、前記トップを前記ボトム側壁に支承させたときに、前記ボトムの前記側壁と前記トップの前記側壁の高さの差が、前記ボトムの前記上面と前記トップの下面が直近に配置されるようになる請求項２に記載のマイクロタイター様プレート。
【請求項４】  前記ボトムと前記トップの間の距離をスペーサーの高さにより決定するように高さを変えることが可能なスペーサーを含む請求項１に記載のマイクロタイター様プレート。
【請求項５】  前記親水性ドメインが普通ガラス、改質ガラス、シラン化ガラス、生体及び非生体ポリマーを吸着させたガラス、ポリスチレン又は他のプラスチック、インジウム・錫酸化物又は他の金属酸化物、金又は他の金属、シリコン又は他の結晶質材料、並びにセラミックから構成される群から選択される請求項１に記載のマイクロタイター様プレート。
【請求項６】  前記親水性ドメインが直径約１０μｍ〜約１０ｍｍの多角形又は円形である請求項１に記載のマイクロタイター様プレート。
【請求項７】  前記疎水性領域がポリフルオロカーボン、ＴＥＦＬＯＮ（登録商標）又はＴＥＦＬＯＮ（登録商標）ビーズ、ペルフルオロプロペン、パラフィン又は他のロウ又は油類、ポリエチレン又は他の炭化水素、クロロジメチルオクチルシラン又は他のシラン化剤、ポリプロピレン又は他の疎水性ポリマー、ポリフルオロカーボン又はポリフルオロカーボン被覆ビーズ等のビーズ又は他の疎水性突起を含む二官能性材料、及び炭化水素又は炭化水素被覆ビーズから構成される群から選択される請求項１に記載のマイクロタイター様プレート。
【請求項８】  前記疎水性領域が平滑面又は約５０〜５，０００ｎｍの微視的粗面に積層されている請求項７に記載のマイクロタイター様プレート。
【請求項９】  仮想ウェルを含むマイクロタイター様プレートと前記仮想ウェルに存在する細胞の組み合わせであり、スクリーニングアッセイで使用するのに適した前記組み合わせ物。
【請求項１１】  マイクロタイター様プレート又は蓋に複数のピンを備える液体移送装置であって、ピンが直径５０〜１，０００μｍの円形又は他の面をもち、ピンが０．３〜１０ｍｍの深さをもち、装置が１００ｐｌ〜１μｌの容量の液体を移送する前記装置。
【請求項１２】  前記ピンが、ガラス、金属、プラスチック、シリコン及び他の結晶質材料から構成される群から選択される材料の表面に異方性、等方性、プラズマ及び反応性イオンエッチングから構成される群から選択される方法により微細加工する方法、金属及び他の導電性材料から構成される群から選択される材料の表面に放電加工する方法、ガラス、シリコン又は他の結晶質材料、金属又は他の導電性材料及びプラスチックから構成される群から選択される材料の表面にレーザー切削する方法、並びにプラスチック、ガラス及び金属から構成される群から選択される材料から成形する方法から構成される群から選択される製法により製造されたものである請求項１１に記載の装置。
【請求項１３】  前記ピンが、その先端を親水性にし、その軸又は軸の一部を疎水性にするように加工されたものである請求項１１に記載の装置。
【請求項１４】  材料がＭｏｎｅｌ又は他の非腐食性金属であり、製法がワイヤーＥＤＭであり、ピンが直径約２００〜４００μｍの正方形又は他の閉じた多角形の面をもち、装置が約１０ｎｌの容量を移送する請求項１２に記載の装置。
【請求項１５】  面が表面凹凸をもつ請求項１４に記載の装置。
【請求項１６】  材料がガラス又は他のエッチング可能な材料であり、製法が異方性ウェットエッチングであり、ピンが直径２００〜４００μｍの円形又は他の形状の面をもち、装置が約１０ｎｌの容量を移送する請求項１２に記載の装置。
【請求項１７】  材料が１１１シリコン又は他の結晶質材料であり、製法が等方性ウェットエッチングであり、ピンが直径約２００〜４００μｍの正方形又は他の形状の面をもち、装置が約１０ｎｌの容量を移送する請求項１２に記載の装置。
【請求項１８】  請求項１１に記載の装置とマイクロタイタープレートの組み合わせであって、装置がマイクロタイタープレートの蓋として機能する前記組み合わせ物。
【請求項１９】  マイクロタイタープレートが仮想ウェルを含む請求項１８に記載の組み合わせ物。
【請求項２０】  装置がマイクロタイタープレートの蒸発防止バリヤーとして機能する請求項１８に記載の組み合わせ物。
【手続補正書】
【提出日】平成17年10月4日(2005.10.4)
【手続補正１】
【補正対象書類名】明細書
【補正対象項目名】特許請求の範囲
【補正方法】変更
【補正の内容】
【特許請求の範囲】
【請求項１】  当該デバイスに低導電率で、両イオン性の緩衝剤を供し；
核酸をマイクロロケーション（microlocation）に向けて電気泳動的に輸送し；
該マイクロロケーションに電流および電圧を加えて輸送に作用し、それによってマイクロロケーションの上方の局所ｐＨがその等電点における緩衝剤のｐＨ未満となり、それによって核酸とマイクロロケーションに位置するプローブとの間のハイブリダイゼーションが高められる
工程を含む、能動エレクトロニック・システムにおいて核酸を輸送およびハイブリダイゼーションさせる方法。
【請求項２】  該低導電率で、両イオン性の緩衝剤がヒスチジンであることを特徴とする請求項１記載の核酸の輸送およびハイブリダイゼーションを高める方法。
【請求項３】  該低導電率で、両イオン性の緩衝剤がＬ−ヒスチジンであることを特徴とする請求項１記載の核酸の輸送およびハイブリダイゼーションを高める方法。
【請求項４】  該低導電率で、両イオン性の緩衝剤がＤ−ヒスチジンであることを特徴とする請求項１記載の核酸の輸送およびハイブリダイゼーションを高める方法。
【請求項５】  当該デバイスに第１の低導電率で、両イオン性の緩衝液を供し、
核酸を該低導電率で、両イオン性の緩衝液中の当該デバイスに供し、
選択したマイクロロケーションへの該核酸の輸送に作用するように少なくともある種のマイクロロケーションに電流および電圧を加え、
該緩衝液を高塩濃度を有する第２の緩衝液に取り換え、ついで
選択したマイクロロケーションにおける該核酸とプローブとのハイブリダイゼーションに作用する
工程を含み、ここに当該デバイスは、少なくともある種のマイクロロケーションがプローブを含む複数のマイクロロケーションを有することを特徴とする、能動エレクトロニック・マトリックスデバイス上で核酸を有効に輸送しハイブリダイズさせる方法。
【請求項６】  該低導電率で、両イオン性の緩衝剤がシステインであることを特徴とする請求項５記載の核酸の輸送およびハイブリダイゼーションに作用する方法。
【請求項７】  該低導電率で、両イオン性の緩衝液がアラニンであることを特徴とする請求項５記載の核酸の輸送およびハイブリダイゼーションに作用する方法。
【請求項８】  塩濃度が５０ｍＭないし１００ｍＭであることを特徴とする請求項５記載の核酸の輸送およびハイブリダイゼーションに作用する方法。
【請求項９】  アンプリコン生成物を能動、プログラム可能なエレクトロニック・マトリックスデバイスに供し、
該生成物を低コンダクタンス・ヒスチジン緩衝液中で希釈し、
該生成物を変性させ、
デバイス上でヒスチジン緩衝液中の該変性生成物をハイブリダイズさせ、
マッチ−対−ミスマッチを区別するようにストリンジェンシーを行い、ついで
該生成物を検出し、分析する
工程を含む、二本鎖アンプリコン中の点突然変異を検出する方法。
【請求項１０】  該ストリンジェンシーが電子的ストリンジェンシーを含むことを特徴とする、アンプリコン中の点突然変異を検出する請求項９記載の方法。
【請求項１１】  該検出が蛍光検出であることを特徴とする、アンプリコン中の点突然変異を検出する請求項９記載の方法。
【請求項１２】  蛍光レポーター・プローブ配列を該生成物とハイブリダイズさせることを特徴とする、アンプリコン中の点突然変異を検出する請求項９記載の方法。
【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】希突起膠細胞、Ａ２Ｂ５陽性突起保有星状膠細胞、および線維芽細胞様形態を有するＡ２Ｂ５陰性星状膠細胞に分化する、哺乳類ＣＮＳグリア制限前駆細胞の単離精製集団。
【請求項２】前記グリア制限前駆細胞が、ヒトおよび非ヒト霊長類、ウマ、イヌ、ネコ、ウシ、ブタ、ヒツジおよびウサギから成る群から選択される哺乳類から単離される、請求項１記載の集団。
【請求項３】前記グリア制限前駆細胞が、Ａ２Ｂ５モノクローナル抗体により認識される細胞表面抗原を発現するがしかし胚性神経細胞接着分子を発現しない、請求項１記載の集団。
【請求項４】前記グリア制限前駆細胞が、線維芽細胞増殖因子および血小板由来増殖因子を含有する媒質の存在下でin vitro増殖後にマイトジェンとして血小板由来増殖因子に応答する能力を獲得する、請求項１記載の集団。
【請求項５】前記グリア制限前駆細胞が、付着支持細胞非依存性培地中で自己再生し得、かつＣＮＳグリア細胞に分化し得るが、ＣＮＳ神経細胞に分化し得ない、請求項１記載の集団。
【請求項６】神経学的または神経変性性疾患の治療に用いる、請求項１〜５のいずれかに記載の集団。  
【請求項７】哺乳類ＣＮＳグリア制限前駆細胞の純粋集団を単離する方法であって、以下の：
（ａ）神経管の閉鎖後の発生段階で哺乳類からＣＮＳ組織の試料を取り出し、
（ｂ）哺乳類から取り出したＣＮＳ組織の試料を含む細胞を解離し、および
（ｃ）解離細胞からグリア制限前駆細胞を限定する選定抗原を発現する亜集団を精製する
工程から成り、前記グリア制限前駆細胞が希突起膠細胞、Ａ２Ｂ５陽性突起保有星状膠細胞、および線維芽細胞様形態を有するＡ２Ｂ５陰性星状膠細胞に分化する、前記方法。
【請求項８】グリア制限前駆細胞を限定する前記選定抗原がＡ２Ｂ５抗体により認識される細胞表面抗原である、請求項７記載の方法。
【請求項９】前記精製が特異的抗体捕獲、蛍光活性化細胞分類および磁気ビーズ捕獲から成る群から選択される手法を包含する、請求項７記載の方法。
【請求項１０】前記手法が特異的抗体捕獲である、請求項９記載の方法。
【請求項１１】前記哺乳類がヒトおよび非ヒト霊長類、ウマ、イヌ、ネコ、ウシ、ブタ、ヒツジおよびウサギから成る群から選択される、請求項７記載の方法。
【請求項１２】請求項７記載の方法により単離される哺乳類ＣＮＳグリア制限前駆細胞の純粋集団。
【請求項１３】以下の：
（ａ）グリア制限前駆細胞を提供し、および
（ｂ）分化条件下でグリア制限前駆細胞をプレート化し、それによりグリア制限前駆細胞をグリア細胞に分化させる
工程から成る、グリア細胞の獲得方法。
【請求項１４】前記分化条件が非突起保有Ａ２Ｂ５−ＧＦＡＰ＋星状膠細胞への分化を促進する有効量の因子の増殖培地への付加を包含し、前記グリア細胞がＡ２Ｂ５−ＧＦＡＰ＋星状膠細胞である、請求項１３記載の方法。
【請求項１５】非突起含有Ａ２Ｂ５−ＧＦＡＰ＋星状膠細胞への分化を促進する前記因子がウシ胎仔血清を含有する、請求項１４記載の方法。
【請求項１６】前記分化条件が突起保有Ａ２Ｂ５＋ＧＦＡＰ＋星状膠細胞への分化を促進する有効量の因子の増殖培地への付加を包含し、前記グリア細胞がＡ２Ｂ５＋ＧＦＡＰ＋星状膠細胞である、請求項１３記載の方法。
【請求項１７】突起保有Ａ２Ｂ５＋ＧＦＡＰ＋星状膠細胞への分化を促進する前記因子が毛様体神経栄養因子および塩基性線維芽細胞増殖因子を含有する、請求項１６記載の方法。
【請求項１８】前記分化条件が希突起膠細胞への分化を促進する有効量の因子の増殖培地への付加を包含し、前記グリア細胞が希突起膠細胞である、請求項１３記載の方法。
【請求項１９】希突起膠細胞への分化を促す前記因子が血小板由来増殖因子および甲状腺ホルモン（Ｔ３）を含有する、請求項１８記載の方法。
【請求項２０】神経学的活性に関して化合物をスクリーニングするための方法であって、以下の：
（ａ）in vitroで培養されたグリア制限前駆細胞またはそれらの誘導体またはそれらの混合物の純粋集団を提供し、
（ｂ）前記細胞またはそれらの誘導体またはそれらの混合物を種々の用量の選定化合物に曝露し、および
（ｃ）前記細胞またはそれらの誘導体またはそれらの混合物の前記選定化合物に対する反応を選定期間モニタリングする
工程から成る方法。
【請求項２１】グリア制限前駆細胞の連続増殖方法であって、以下の：
（ａ）前記グリア制限前駆細胞を提供し、および
（ｂ）最少必須塩および有効量の血小板由来増殖因子および線維芽細胞増殖因子の存在下でin vitroで前記グリア制限前駆細胞を培養する
工程から成る方法。
【手続補正２】
【補正対象書類名】明細書
【補正対象項目名】０００１
【補正方法】変更
【補正の内容】
【０００１】
［発明の背景］
本発明は、中枢神経系（ＣＮＳ）からの直系制限グリア前駆体に関する。特に本発明は、希突起膠細胞と２種類の星状膠細胞(populations of astrocytes)に分化し得るグリア制限前駆体（ＧＲＰ）細胞の純粋集団、ならびにそれらの製造および使用方法に関する。
【誤訳訂正書】
【提出日】平成17年11月25日(2005.11.25)
【誤訳訂正１】
【訂正対象書類名】明細書
【訂正対象項目名】特許請求の範囲
【訂正方法】変更
【訂正の内容】
【特許請求の範囲】
【請求項１】  商品を吊るすためのハンガであって、その一端が、商品がハンガから取り外されるのを防ぐための保持手段を備え、商品が着脱されるその他端がフック手段を有するハンガと、ハンガのフック手段が引っ掛けられる凹みを有する主支持部と、ハンガが外されるのを防ぐための、主支持部上のロック可能な障害物とを含む、商品を展示するための窃盗防止装置であって、該凹み（３、１３）が、該主支持部（２）に穿孔された穴からなり、該障害物が、引っ掛けられたハンガ（１）を覆う副木（５、１６）の形状にあることを特徴とする窃盗防止装置。
【請求項２】  該副木（５、１６）が、折りたたむことができるように配設されている、請求請１記載の窃盗防止装置。
【請求項３】  該穿孔された穴（１３）が円筒形の断面を有する、請求項１記載の窃盗防止装置。
【請求項４】  該穿孔された穴がスロット（３）によって該主支持部の側面につながっている、請求請１記載の窃盗防止装置。
【請求項５】  該副木（５、１６）の自由端が、該主支持部に配設された錠と係合するように設計されている、請求請１記載の窃盗防止装置。
【誤訳訂正２】
【訂正対象書類名】明細書
【訂正対象項目名】００１３
【訂正方法】変更
【訂正の内容】
【００１３】
主支持部には、副木５からなる障害物が設けられ、これは、上に折れ曲がるヒンジ６によって一端を固定され、錠７によって他端を塞ぐことができる。障害物がロックされると、ハンガを持ち上げることはできず、その結果、主支持部のホルダから取り外すことはできない。
【誤訳訂正３】
【訂正対象書類名】明細書
【訂正対象項目名】００１５
【訂正方法】変更
【訂正の内容】
【００１５】
ロックは、図示する例のように主支持部と障害物のフェイスホールを貫通する南京錠によって実施することもできるし、主支持部に内蔵された錠により、障害物の副木またはバーをその錠に引っ掛けるようにして実施することもできる。
【手続補正書】
【提出日】平成17年12月1日(2005.12.1)
【手続補正１】
【補正対象書類名】明細書
【補正対象項目名】特許請求の範囲
【補正方法】変更
【補正の内容】
【特許請求の範囲】
【請求項１】  脛骨トンネルを位置決めするガイド装置であって、そのガイド装置が、
大腿骨面に接触するよう構成された遠位先端を有し、かつ脛骨プラトーに接触するよう構成されたスパイクを備えたガイドアームと、
ガイドアームに接続され、ガイドアームの遠位先端が大腿骨面に接触するときに、脛骨面に接触するよう構成された遠位先端を有するドリルスリーブと
からなり、ガイドアームの遠位先端が大腿骨切痕の後部皮質に接触するよう設定されたフックからなることを特徴とするガイド装置。
【請求項２】  ハンドルを更に備え、このハンドルにガイドアームが接続され、かつそのハンドルにドリルスリーブが接続され、更にガイドアームとドリルスリーブとがハンドルとの接続によって接続される請求項１によるガイド装置。
【請求項３】  ガイドアームがハンドルの一方端に配置され、ドリルスリーブがハンドルの他方端に配置されてなる請求項２によるガイド装置。
【請求項４】  ガイドアームの方向をドリルスリーブに対して調整できる請求項１〜３のいずれか一つによるガイド装置。
【請求項５】  ガイドアームが、ドリルスリーブに対するガイドアームの方向を示すマーキングを有する請求項１〜４のいずれか一つによるガイド装置。
【請求項６】  ドリルスリーブが、ガイドワイヤを脛骨面内に向け、脛骨トンネルを配置するよう構成された請求項１〜５のいずれか一つによるガイド装置。
【請求項７】  ドリルスリーブが脛骨トンネルの長さを測定するためのマーキングを有する請求項１〜６のいずれか一つによるガイド装置。
【請求項８】  ドリルスリーブの遠位先端が、歯部によって取り巻かれた傾斜開口からなる請求項１〜７のいずれか一つによるガイド装置。
【請求項９】  ガイドアームの遠位先端が大腿骨切痕の後部皮質に接触するよう構成された請求項１〜８のいずれか一つによるガイド装置。
【請求項１０】  ガイドアームが、遠位先端が大腿骨面に接触する点からドリルスリーブの長手方向軸へのオフセットを与えるよう構成された請求項１〜９のいずれか一つによるガイド装置。
【請求項１１】  ガイドアームが、大腿骨面に接触すべく構成されたフックを有する第１遠位アーム部分と、脛骨プラトーに接触すべく構成されたスパイクを有する第２遠位アーム部分とを備えた請求項１〜１０のいずれか一つによるガイド装置。
【請求項１２】  第１遠位アーム部分が第２遠位アーム部分を摺動すべく構成された請求項１１によるガイド装置。
【請求項１３】  第１遠位アーム部分がスプリングによって第２遠位アーム部分に取り付けられた請求項１１によるガイド装置。
【請求項１４】  第１遠位アーム部分がリンク機構によって第２遠位アーム部分に取り付けられた請求項１１によるガイド装置。
【請求項１５】  第１遠位アーム部分が枢支点で第２遠位アーム部分に取り付けられた請求項１１によるガイド装置。
【請求項１６】  アイソメトリを示すための装置を更に備えた請求項１〜１５のいずれか一つによるガイド装置。
【請求項１７】  装置がアイソメトリ・リンク機構を備えた請求項１６によるガイド装置。
【請求項１８】  アイソメトリ・リンク機構を延出する手段を更に備えた請求項１７によるガイド装置。
【請求項１９】  延出手段が液圧手段からなる請求項１８によるガイド装置。
【請求項２０】  装置がアイソメトリ機構からなる請求項１６によるガイド装置。
【請求項２１】  アイソメトリ機構がスプリングからなる請求項２０によるガイド装置。
【請求項２２】  装置がアイソメトリ縫合糸からなる請求項１６によるガイド装置。
【請求項２３】  大腿骨面に接触するよう構成された遠位先端を有するガイドアームとこのガイドアームに接続されるドリルスリーブとからなる脛骨トンネルを位置決めするガイド装置において用いられる該ドリルスリーブであって、
ガイドアームの遠位先端が大腿骨面に接触するときに脛骨面に接触するよう構成された遠位先端を有し、この遠位先端が歯部によって取り巻かれた傾斜開口を有するドリルスリーブ。
【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  第１端と第２端との間を延びる部分的環状成型形状を有すると共に、生体適合材料で作られた細長い本体部分と、
第１端および第２端を含み、前記細長い本体の前記第１端および前記第２端の間を延びると共に、生体適合材料で作られた細長い副体部分と、
前記本体部分の前記第１端を前記副体の前記第１端に接続する第１のカットゾーンと、を含み、
前記第１のカットゾーンを切断することによって、前記副体部分を選択的に除去、切り離し可能であり、これにより、部分的環状成型リング形状を有する環状成型リングが形成されることを特徴とする環状成型リングプロテーゼ。
【請求項２】  第１のカットゾーンが切断される時に、本体部分の第１端が元の状態を充分に維持するように、第１のカットゾーンがボディー維持部材を含む請求項１の環状成型リングプロテーゼ。
【請求項３】  本体部分が繊維質内層を含み、ボディー維持部材がその繊維質内層がほつれることを充分に防ぐ請求項２の環状成型リングプロテーゼ。
【請求項４】  さらに、本体部分の第２端を副体部分の第２端に接続する第２のカットゾーンを含む請求項１の環状成型リングプロテーゼ。
【請求項５】  第２のカットゾーンが切断される時に、本体部分の第２端が元の状態を充分に維持するように、第２のカットゾーンが副体維持部材を含む請求項４の環状成型リングプロテーゼ。
【請求項６】  ボディー維持部材が縫い合わせを含む請求項２の環状成型リングプロテーゼ。
【請求項７】  縫い合わせが結び目を付けられた請求項６の環状成型リングプロテーゼ。
【請求項８】  結び目を付けられた縫い合わせがカットゾーンをマーキングするための目視模様を形成する請求項８の環状成型リングプロテーゼ。
【請求項９】  第１のカットゾーンが副体部分を貫通して伸張し、それによって副体部分全長にわたって単一のカットゾーンを形成する請求項１の環状成型リングプロテーゼ。
【請求項１０】  生体適合材料で形成された環状成型リングであって、前記環状成型リングがカットゾーン領域で選択的に切断されて部分的環状成型リング形状を形成可能な環状成型リングと、
前記カットゾーン領域において前記材料を貫いて延びると共に、前記カットゾーン領域が切断された場合にほつれを防止するための複数の結び目を有する縫合と、を含むことを特徴とする環状成型リングプロテーゼ。
【請求項１１】  複数の結び目および伸張された縫い目が目視可能で、それによってカットゾーン領域をマーキングする請求項１３の環状成型リングプロテーゼ。
【請求項１２】  材料が繊維を含む請求項１０の環状成型リングプロテーゼ。
【請求項１３】  カットゾーンをマーキングするマークを含む請求項１０の環状成型リングプロテーゼ。
【請求項１４】  さらに芯を含む請求項１ないし１３のいずれかの環状成型リングプロテーゼ。
【請求項１５】  生体適合材料が充分に可撓性を有する材料を含む請求項１ないし１４のいずれかの環状成型リングプロテーゼ。
【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】  つや出し機がロールギャップ内の高い型締圧力のために構成されていることを特徴とする、つや出し圧延法を用いて８０〜３００μｍの厚さ範囲の熱可塑性プラスチックからなる両面光沢フィルムを製造する方法。
【請求項２】  つや出し機がロールギャップ内の高い型締圧力のために構成
されており、その際該型締圧力が１５００Ｎ／ｍ以下であることができることを特徴とする、つや出し圧延法を用いて８０〜３００μｍの厚さ範囲の熱可塑性プラスチックからなる両面光沢フィルムを製造する方法。
【請求項３】  最適な熱成形のためのプラスチックの温度範囲が少なくとも１５Ｋであることを特徴とする、請求項１記載のつや出し圧延法を用いて８０〜３００μｍの厚さ範囲の熱可塑性プラスチックからなる両面光沢フィルムを製造する方法。
【請求項４】  凍結温度と至適熱成形温度範囲の間の温度差が最高５０Ｋであることを特徴とする、請求項１記載のつや出し圧延法を用いて８０〜３００μｍの厚さ範囲の熱可塑性プラスチックからなる両面光沢フィルムを製造する方法。
【請求項５】  熱可塑性プラスチックがポリメチルメタクリレート又はポリカーボネートであることを特徴とする、つや出し圧延法を用いて８０〜３００μｍの厚さ範囲の熱可塑性プラスチックからなる両面光沢フィルムを製造する方法。
【請求項６】  ロール（１１０）が反らされていることを特徴とする請求項１記載の製造方法。
【請求項７】  請求項１から６までのいずれか１項記載の方法に基づき製造されたフィルムの、射出成形された成形品のための装飾フィルムとしての使用。
【請求項８】  請求項１から６までのいずれか１項記載の方法に基づき製造されたフィルムで装飾されていることを特徴とする、射出成形された熱可塑性成形材料からなる対象物。
【請求項９】  熱可塑性成形材料が透明な成形材料であることを特徴とする請求項８記載の対象物。
【請求項１０】  請求項１から６までのいずれか１項記載に基づき製造されたフィルムを射出成形された成形品のための装飾フィルムとして使用する前に熱可塑性支持材料と積層することを特徴とする請求項７から９までのいずれか１項記載の対象物。
【請求項１１】  請求項１から６までのいずれか１項記載の製造方法に基づき製造されたフィルムの、押出成形された成形品のための装飾フィルムとしての使用。
【請求項１２】  請求項１から６までのいずれか１項記載の製造方法に基づき製造されたフィルムの、押出成形され再変形される成形品のための装飾フィルムとしての使用。
【手続補正書】
【提出日】平成17年11月10日(2005.11.10)
【手続補正１】
【補正対象書類名】明細書
【補正対象項目名】請求項１
【補正方法】変更
【補正の内容】
【請求項１】  部材の身体表面基部部分（４８）から延びる複数の微小突出部（４）を有する身体表面突き刺し部材（６）（該微小突出部（４）は約５００μｍまでの深さまで身体表面を突き刺すように適合している）、及び
物質が導入されるための又は引き出されるための溜め（２７）（該溜め（２７）は突き刺し部材（６）に隣接しておりそして突き刺される身体表面と物質移送関係にある）、並びに装置（２）を身体表面に取り付けるための取り付け部材（３）を含む、身体表面を通過しての物質の導入又は引き出しにおいて使用するための装置（２）であって、
物質溜め（２７）を含有するハウジング（１５）が身体表面に垂直方向に約２５０μｍ未満の圧縮性を有することを特徴とする、前記装置。